(57)【要約】【課題】上部の開口部を開閉することができ、前記開口部を大きくかつ容易に開くすることができ、しかも、内部に収納した物品を安定した状態で持ち運ぶことができるようにする。【解決手段】袋体１は、前面部１１、後面部１２及び襠部分をなす両側部１３，１４を有し上端側が開口する角筒状の胴部と、前記胴部の下端を閉塞する角底部１５と、を備える。前面部１１及び後面部１２が、両側部１３，１４よりも上方に延在する。その延在部分１１Ａ，１２Ａには、互いに重なった当該延在部分１１Ａ，１２Ａを貫通しかつ１本以上の手指の差し入れが可能な１つ以上の貫通孔をなす孔１１Ａａ，１２Ａａが形成される。延在部分１１Ａ，１２Ａの内側には、互いに咬合可能な第１及び第２のジッパーテープ３１，３２が孔１１Ａａ，１２Ａａよりも下方の位置において側方に延びるように、それぞれ設けられる。【選択図】図２
2020117297.tif 000002
【特許請求の範囲】
【請求項１】
自立性を有する袋体であって、
前面部、後面部及び襠部分をなす両側部を有し上端側が開口する角筒状の胴部と、前記胴部の下端を閉塞する角底部と、
を備え、
前記前面部及び前記後面部が、前記両側部よりも上方に延在し、
前記前面部及び前記後面部の前記上方への延在部分には、前記前面部及び前記後面部の互いに重なった当該延在部分を貫通しかつ１本以上の手指の差し入れが可能な１つ以上の貫通孔をなす孔が形成され、
前記前面部及び前記後面部の前記上方への延在部分の内側には、互いに咬合可能な第１及び第２のジッパーテープが前記孔よりも下方の位置において側方に延びるように、それぞれ設けられた、
ことを特徴とする袋体。
【請求項２】
前記第１及び第２のジッパーテープの下側縁が前記両側部の上側縁に近接したことを特徴とする請求項１記載の袋体。
【請求項３】
前記前面部及び前記後面部が不透明であり、前記両側部が透明であることを特徴とする請求項１又は２記載の袋体。
【発明の詳細な説明】
【技術分野】
【０００１】
本発明は、袋体に関するものである。
【背景技術】
【０００２】
下記特許文献１には、合成樹脂製袋体の前面フィルムと後面フィルムとの左右側縁に一対の横マチ部が溶着され、開口部にチャックが溶着された底ガゼット袋にて構成されるチャック付自立角底袋において、前面フィルム及び後面フィルムの高さを横マチ部の高さよりも高く形成すると共に、横マチ部の上部で、且つ前面フィルムと後面フィルムとの内側にチャックを溶着して開閉自在な開口縁部を形成し、一方の開口縁部を上方に延長してヘッダーを形成したチャック付自立角底袋が、開示されている。
【０００３】
前記特許文献１に開示されたチャック付自立角底袋では、ヘッダーを備えているので、商品の陳列に適している。そして、前記特許文献１に開示されたチャック付自立角底袋では、前面フィルム及び後面フィルムの高さを横マチ部の高さよりも高く形成すると共に、横マチ部の上部で、且つ前面フィルムと後面フィルムとの内側にチャックを溶着して開閉自在な開口縁部を形成し、一方の開口縁部を上方に延長してヘッダーを形成したことにより、開口縁部を持ってチャックを開けると、開口部が開口縁部側に向けて大きく開き、開口部から上方に沿ってヘッダーが延長された状態になる結果、大きく開いた開口部からヘッダーに沿って収納物を収納することができるので、商品の袋詰め作業が極めて容易になる。
【０００４】
また、下記特許文献１には、前記ヘッダーに、手指にて係止する係止部をなす貫通孔を形成することによって、前記チャック付自立角底袋を手提げとして用いることも可能である旨が記載されている。
【先行技術文献】
【特許文献】
【０００５】
【特許文献１】実用新案登録第３１９６３７９号公報
【発明の概要】
【発明が解決しようとする課題】
【０００６】
しかしながら、前記特許文献１に開示されたチャック付自立角底袋では、チャックを開けるに際して開口縁部を持つときに、開口縁部を持つ箇所はほとんどないことからチャックを開けるのが困難である。
【０００７】
また、前記特許文献１に開示されたチャック付自立角底袋を手提げとして用いる場合には、前記ヘッダーの貫通孔に手指を差し込んで前記ヘッダーを持ち上げるので、ヘッダーの側を上にして斜めに傾いた状態で持ち上げられてしまうことから、安定した状態で持ち運ぶことができない。特に、横マチ部の奥行きが大きい場合には、持ち上げ時の傾きが大きくなってしまい、より不安定な状態となってしまう。
【０００８】
本発明は、このような事情に鑑みてなされたもので、上部の開口部を開閉することができ、前記開口部を大きくかつ容易に開くすることができ、しかも、内部に収納した物品を安定した状態で持ち運ぶことができる自立角底袋をなす袋体を提供することを目的とする。
【課題を解決するための手段】
【０００９】
前記課題を解決するための手段として、以下の各態様を提示する。第１の態様による袋体は、自立性を有する袋体であって、前面部、後面部及び襠部分をなす両側部を有し上端側が開口する角筒状の胴部と、前記胴部の下端を閉塞する角底部と、を備え、前記前面部及び前記後面部が、前記両側部よりも上方に延在し、前記前面部及び前記後面部の前記上方への延在部分には、前記前面部及び前記後面部の互いに重なった当該延在部分を貫通しかつ１本以上の手指の差し入れが可能な１つ以上の貫通孔をなす孔が形成され、前記前面部及び前記後面部の前記上方への延在部分の内側には、互いに咬合可能な第１及び第２のジッパーテープが前記孔よりも下方の位置において側方に延びるように、それぞれ設けられたものである。
【００１０】
この第１の態様によれば、前記第１及び第２のジッパーテープが設けられているので、前記胴部の上端側の開口部を開閉することができる。前記開口部を閉じれば、外部の埃等が当該袋体の内部に侵入し難くなる。また、前記第１の態様によれば、前記前面部及び前記後面部が前記両側部よりも上方に延在し、前記前面部及び前記後面部の前記上方への延在部分の内側に前記第１及び第２のジッパーテープが側方に延びるようにそれぞれ設けられているので、前記胴部の上端側の開口部を大きく開くことができる。したがって、前記第１の態様による袋体は、例えば、物品を収納する収納ケースとして使用するのに適している。
【００１１】
さらに、前記第１の態様によれば、前記前面部及び前記後面部の前記上方への延在部分には、前記前面部及び前記後面部の互いに重なった当該延在部分を貫通しかつ１本以上の手指の差し入れが可能な１つ以上の貫通孔をなす孔が形成され、前記前面部及び前記後面部の前記上方への延在部分の内側には、互いに咬合可能な第１及び第２のジッパーテープが前記孔よりも下方の位置において側方に延びるように、それぞれ設けられているので、前記前面部の前記上方への延在部分も、前記後面部の前記上方への延在部分も、前記第１及び第２のジッパーテープの上側縁から、手指の差し入れが可能な孔を形成することができるほど比較的高い位置まで上方に延在する。したがって、前記前面部の前記上方への延在部分も、前記後面部の前記上方への延在部分も、それぞれ別の手で容易に持つのに十分な箇所を有する。このため、前記胴部の上端側の開口部を開く際に、前記前面部及び前記後面部の前記上方への延在部分をそれぞれ別の手で容易に持つことができるので、前記前面部及び前記後面部の前記上方への延在部分をそれぞれ別の手で持ってそれぞれ反対側に容易に引っ張ることができる。これにより、前記第１の態様によれば、前記胴部の上端側の開口部を容易に開くことができる。
【００１２】
また、前記第１の態様によれば、前記前面部及び前記後面部の前記上方への延在部分には、前記前面部及び前記後面部の互いに重なった当該延在部分を貫通しかつ１本以上の手指の差し入れが可能な１つ以上の貫通孔をなす孔が形成されているので、当該貫通孔に手指を差し入れることで、前記前面部及び前記後面部の互いに重なった当該延在部分の両方を同時に持ち上げることができる。したがって、前記特許文献１に開示されたチャック付自立角底袋と異なり、内部に物品を収容した当該袋体が斜めに傾いた状態で持ち上げられてしまうことがなく、内部に収納した物品を安定した状態で持ち運ぶことができる。
【００１３】
なお、本願明細書において、上下は、単に一方及び他方を示し、必ずしも鉛直方向の上と下を示すものではない。
【００１４】
第２の態様による袋体は、前記第１の態様において、前記第１及び第２のジッパーテープの下側縁が前記両側部の上側縁に近接したものである。
【００１５】
この第２の態様によれば、前記第１及び第２のジッパーテープの下側縁が前記両側部の上側縁に近接しているので、前記第１及び第２のジッパーテープを互いに咬合させて前記胴部の上端側の開口部を閉じた状態において、当該袋体の内部を外部に連通させる隙間が小さくなる。したがって、前記第２の態様によれば、前記胴部の上端側の開口部を閉じた状態において、外部の埃等が当該袋体の内部に一層侵入し難くなる。
【００１６】
第３の態様による袋体は、前記第１又は第２の態様において、前記前面部及び前記後面部が不透明であり、前記両側部が透明であるものである。
【００１７】
この第３の態様によれば、前記前面部及び前記後面部が不透明であることから内部に収容した物品の全体が外部から見えるわけではないので、すっきりと片付いた状態での物品の収納を実現することができる一方で、前記両側部が透明であるので、内部に収容した物品の一部を見ることができ、内部に何が収容されているかを容易に把握することができる。したがって、前記第３の態様による袋体は、例えば、物品を収納する収納ケースとして使用するのにより適している。
【００１８】
もっとも、前記第１及び第２の態様では、例えば、前記前面部、前記後面部及び前記両側面部の全てが不透明又は透明でもよいし、前記前面部、前記後面部及び前記両側面部のうちの任意の一部のみが不透明である一方で残りが透明でもよい。
【発明の効果】
【００１９】
本発明によれば、上部の開口部を開閉することができ、前記開口部を大きくかつ容易に開くことができ、しかも、内部に収納した物品を安定した状態で持ち運ぶことができる自立角底袋をなす袋体を提供することができる。
【図面の簡単な説明】
【００２０】
【図１】本発明の一実施の形態による袋体の、開口部が中程度開口した状態を示す概略斜視図である。
【図２】図１に示す袋体の、開口部が完全に開口した状態を示す概略斜視図である。
【図３】図１に示す袋体の、扁平状態を示す概略正面図及び概略右側面図である。
【図４】図１に示す袋体の概略分解斜視図である。
【図５】図１に示す袋体の、開口部が閉じた状態を示す斜め上方かつ左側部の側から見た全体概略斜視図である。
【発明を実施するための形態】
【００２１】
以下、本発明による袋体について、図面を参照して説明する。
【００２２】
図１は、本発明の一実施の形態による袋体１の、開口部１ａが中程度開口した状態を示す概略斜視図である。図２は、図１に示す袋体１の、開口部１ａが完全に開口した状態を示す概略斜視図である。図３（ａ）は、図１に示す袋体１の扁平状態を示す概略正面図である。図３（ａ）において、ヒートシールされている領域Ｒ１，Ｒ２，Ｒ３にはハッチングを付している。図３（ｂ）は、図１に示す袋体１の扁平状態を示す概略右側面図である。図４は、図１に示す袋体１の概略分解斜視図である。図５は、図１に示す袋体１の、開口部１ａが閉じた状態を示す斜め上方かつ左側部１４の側から見た全体概略斜視図である。
【００２３】
以下の説明では、図１中の紙面手前側を前側、図１中の紙面奥側を後側として説明するが、その逆でもよい。「前」及び「後」は、いずれの側が「前」で「いずれの側が「後」であるかは固定的に定まるものではなく、「前」をいずれか一方の側とした場合に、「後」はその反対側を意味するものである。
【００２４】
本実施の形態による袋体１は、前面部１１、後面部１２及び襠部分をなす両側部１３，１４を有し上端側が開口する角筒状の胴部と、前記胴部の下端を閉塞する角底部１５と、を備えており、自立性を有する角底袋として構成されている。
【００２５】
本実施の形態では、前面部１１、後面部１２、右側部１３、左側部１４及び角底部１５は、図４に示すようにそれぞれ別々の可撓性を有するシートで構成され、これらの５枚のシートがヒートシールされることにより袋体１が構成されている。これらのシートの材質については、後述する。
【００２６】
袋体１の右側部１３に折り線１３ａ〜１３ｄが形成され、袋体１の左側部１４に折り線１４ａ〜１４ｄが形成され、袋体１の底部１５に折り線１５ａが形成され、これにより、袋体１は、図３に示すように扁平状態に折り畳むことができるようになっている。この扁平状態では、開口部１ａは閉じられる。ただし、図３（ｂ）では、第１のジッパーテープ３１と第２のジッパーテープ３２とは互いに抱合していないものとして示している。
【００２７】
この扁平状態において、前面部１１と後面部１２とがちょうど重なっており、前面部１１と後面部１２との間に、折り線１３ａ〜１３ｄで折り畳まれた右側部１３（図４参照）、折り線１４ａ〜１４ｄで折り畳まれた左側部１４（図４参照）及び折り線１５ａで折り畳まれた底部１５が図３に示すように配置されている。そして、前面部１１及び後面部１２の右辺に沿った領域Ｒ１において、前面部１１と右側部１３との間、後面部１２と右側部１３との間、及び、底部１５と右側部１３との間がヒートシールされている。また、前面部１１及び後面部１２の左辺に沿った領域Ｒ２において、前面部１１と左側部１４との間、後面部１２と左側部１４との間、及び、底部１５と左側部１４との間がヒートシールされている。さらに、前面部１１及び後面部１２の下辺に沿った領域Ｒ３において、前面部１１と底部１５との間、及び、後面部１２と底部１５との間がヒートシールされている。
【００２８】
図２及び図３において、２１は領域Ｒ１における前面部１１と右側部１３との間のヒートシール部、２２は領域Ｒ１における後面部１２と右側部１３との間のヒートシール部、２３は領域Ｒ１における底部１５と右側部１３との間のヒートシール部、２４は領域Ｒ２における前面部１１と左側部１４との間のヒートシール部、２５は領域Ｒ２における後面部１２と左側部１４との間のヒートシール部、２６は領域Ｒ２における底部１５と左側部１４との間のヒートシール部、２７は領域Ｒ３における前面部１１と底部１５との間のヒートシール部、２８は領域Ｒ３における後面部１２と底部１５との間のヒートシール部を、それぞれ示している。
【００２９】
本実施の形態では、前面部１１及び後面部１２が、右側部１３及び左側部１４よりも上方に（底部１５から開口部１ａへ向かう方向に）延在している。そして、前面部１１の上方への延在部分１１Ａ及び後面部１２の上方への延在部分１２Ａには、互いに重なった延在部分１１Ａ，１２Ａを貫通しかつ１本以上の手指２００の差し入れが可能な１つの貫通孔が形成されている。前記１つの貫通孔は、延在部分１１Ａの孔１１Ａａとこれに重なる延在部分１２Ａの孔１２Ａａとから構成されている。前記貫通孔の数は複数でもよい。すなわち、延在部分１１Ａに形成する孔１１Ａａの数は複数でもよいし、延在部分１２Ａに形成する孔１２Ａａの数は複数でもよい。
【００３０】
そして、本実施の形態では、前面部１１及び後面部１２の上方への延在部分１１Ａ，１２Ａの内側には、互いに咬合可能な第１及び第２のジッパーテープ３１，３２が孔１１Ａａ，１２Ａａよりも下方の位置において側方に（左右方向に）延びるように、それぞれ取り付けられている。ジッパーテープ３１は１本の雄部材３１ａを有し、ジッパーテープ３２は１本の雌部材３２ａを有している。雄部材３１ａと雌部材３２ａとは、互いに対向する位置に設けられ、咬合可能となっている。ジッパーテープ３１，３２としては、公知のジッパーテープを用いることができる。本実施の形態では、ジッパーテープ３１，３２は、ヒートシール可能な材料で構成され、延在部分１１Ａ，１２Ａの内側にヒートシールにより取り付けられている。なお、ジッパーテープ３１，３２は、複数本の雄部材又は雌部材を有していてもよい。
【００３１】
本実施の形態では、第１及び第２のジッパーテープ３１，３２の下側縁は、両側部１３，１４の上側縁に近接している。
【００３２】
袋体１が自立性を持てば、前面部１１、後面部１２、右側部１３、左側部１４及び底部１５を構成するシートの材質は何ら限定されない。しかしながら、本実施の形態による袋体１は、ヒートシール性を考慮して各部の材質が選定されている。その材質の例を以下に挙げる。なお、袋体１の内面は、耐水性を持っていてもよいし、耐水性を持っていなくてもよい。
【００３３】
例えば、前面部１１、後面部１２、右側部１３、左側部１４及び底部１５の全部を透明シート（無色透明のシートでもよいし、有色透明のシートでもよい）で構成してもよいし、その一部を透明シートで構成するとともに残りを不透明シートで構成してもよいし、前面部１１、後面部１２、右側部１３、左側部１４及び底部１５の全部を不透明シートで構成してもよい。
【００３４】
前記透明シートの例として、下記第１乃至第６の透明シートを挙げることができる。また、前記不透明シートの例として、下記第１乃至第６の不透明シートを挙げることができる。
【００３５】
第１の透明シートは、袋体１の外側から順に積層した、ポリエステルフィルム、ポリエチレン層（溶融したポリエチレンによる接着層に相当）及びポリエチレンフィルムで構成した透明シートである。内側のポリエチレンが、耐水性を有するシーラント樹脂フィルムに相当している。ここで、耐水性を有するシーラント樹脂フィルムとして、前記ポリエチレンフィルムに代えて、ＣＰ（ポリプロピレンを原料とした無延伸フィルム）を用いてもよい。
【００３６】
第２の透明シートは、袋体１の外側から順に積層した、ポリエステルフィルム、接着剤（ドライラミネート）及びポリエチレンフィルム（耐水性を有するシーラント樹脂フィルムに相当）で構成した透明シートである。ここで、耐水性を有するシーラント樹脂フィルムとして、前記ポリエチレンフィルムに代えて、ＣＰを用いてもよい。
【００３７】
第３の透明シートは、袋体１の外側から順に積層した、ナイロンフィルム、接着剤（ドライラミネート）及びポリエチレンフィルム（耐水性を有するシーラント樹脂フィルムに相当）で構成した透明シートである。ここで、耐水性を有するシーラント樹脂フィルムとして、前記ポリエチレンフィルムに代えて、ＣＰを用いてもよい。
【００３８】
第４の透明シートは、袋体１の外側から順に積層した、ナイロンフィルム、ポリエチレン層（溶融したポリエチレンによる接着層に相当）及びポリエチレンフィルム（耐水性を有するシーラント樹脂フィルムに相当）で構成した透明シートである。ここで、耐水性を有するシーラント樹脂フィルムとして、前記ポリエチレンフィルムに代えて、ＣＰを用いてもよい。
【００３９】
第５の透明シートは、袋体１の外側から順に積層した、ＯＰ（ポリプロピレンを原料とする二軸延伸フィルム（ＯＰＰフィルム））、接着剤（ドライラミネート）及びポリエチレンフィルム（耐水性を有するシーラント樹脂フィルムに相当）で構成した透明シートである。ここで、耐水性を有するシーラント樹脂フィルムとして、前記ポリエチレンフィルムに代えて、ＣＰを用いてもよい。
【００４０】
第６の透明シートは、袋体１の外側から順に積層した、ＯＰ、ポリエチレン層（溶融したポリエチレンによる接着層に相当）及びポリエチレンフィルム（耐水性を有するシーラント樹脂フィルムに相当）で構成した透明シートである。ここで、耐水性を有するシーラント樹脂フィルムとして、前記ポリエチレンフィルムに代えて、ＣＰを用いてもよい。
【００４１】
第１の不透明シートは、袋体１の外側から順に積層された、樹脂フィルム、ポリエチレン、紙、ポリエチレン及びシーラント樹脂フィルムで構成されたシートである。前記樹脂フィルムとしては、耐水性を有するフィルムが用いられ、具体的には、例えば、ポリエステル、ポリプロピレン又はナイロンのフィルムが用いられる。前記ポリエチレンは、例えば、押出ラミネート樹脂として用いられる。前記紙としては、例えば、クラフト紙又はコート紙などの植物繊維を有する紙や合成紙などが用いられる。シーラント樹脂フィルムとしては、耐水性及び熱溶着性（ヒートシール性）を有する樹脂フィルムが用いられ、具体的には、例えば、ポリエチレン又はポリプロピレンなどのフィルムが用いられる。
【００４２】
第２の不透明シートは、袋体１の外側から順に積層された、樹脂フィルム、接着剤、紙、接着剤及びシーラント樹脂フィルムで構成されたシートである。前記樹脂フィルムとしては、耐水性を有するフィルムが用いられ、例えば、ポリエステル、ポリプロピレン又はナイロンのフィルムが用いられる。前記接着剤としては、例えば、ノンソルベントラミネートの接着剤が用いられる。前記紙としては、例えば、クラフト紙又はコート紙などの植物繊維を有する紙や合成紙などが用いられる。前記シーラント樹脂フィルムとしては、耐水性及び熱溶着性を有する樹脂フィルムが用いられ、具体的には、例えば、ポリエチレン又はポリプロピレンなどのフィルムが用いられる。
【００４３】
第３の不透明シートは、袋体１の外側から順に積層された、ワニス、植物繊維を有する紙、接着剤及びシーラント樹脂フィルムで構成されたシートである。前記ワニスとしては、撥水性を有することで耐水性を有するものが用いられ、例えば、印刷により形成される。前記紙としては、例えば、クラフト紙又はコート紙などの植物繊維を有する紙や合成紙などが用いられる。前記接着剤としては、例えば、ノンソルベントラミネートの接着剤が用いられる。前記シーラント樹脂フィルムとしては、耐水性及び熱溶着性を有する樹脂フィルムが用いられ、具体的には、例えば、ポリエチレン又はポリプロピレンなどのフィルムが用いられる。
【００４４】
第４の不透明シートは、袋体１の外側から順に積層された、耐水紙、接着剤及びシーラント樹脂フィルムで構成されたシートである。前記耐水紙としては、例えば、公知の耐水紙が用いられる。前記耐水紙は植物繊維を有する紙を含んでもよい。前記接着剤としては、例えば、ノンソルベントラミネートの接着剤が用いられる。前記シーラント樹脂フィルムとしては、耐水性及び熱溶着性を有する樹脂フィルムが用いられ、具体的には、例えば、ポリエチレン又はポリプロピレンなどのフィルムが用いられる。あるいは、前記シーラント樹脂フィルムとして、耐水性及び熱溶着性を有する生分解樹脂フィルムを用いてもよい。
【００４５】
第５の不透明シートは、袋体１の外側から順に積層された、生分解樹脂フィルム、接着剤、紙、接着剤及び生分解樹脂フィルムで構成されたシートである。前記生分解樹脂フィルムとしては、耐水性を有する公知の生分解樹脂フィルムが用いられる。前記接着剤としては、例えば、ノンソルベントラミネートの接着剤が用いられる。前記紙としては、例えば、クラフト紙又はコート紙などの植物繊維を有する紙や合成紙などが用いられる。前記生分解樹脂フィルムとしては、耐水性及び熱溶着性を有する公知の生分解樹脂フィルムが用いられる。
【００４６】
第６の不透明シートは、前記第１乃至第６のいずれかの透明シートに印刷等を施すことで不透明にしたシートである。この場合、右側部１３及び左側部１４のベースとなる透明シートとして、前面部１１及び後面部１２と同じ透明シートを用いてもよく、その場合には、印刷等の有無によって透明・不透明を設定することができる。
【００４７】
本実施の形態による袋体１では、第１及び第２のジッパーテープ３１，３２が設けられているので、前記胴部の上端側の開口部１ａを開閉することができる。開口部１ａを閉じれば、外部の埃等が当該袋体１の内部に侵入し難くなる。また、本実施の形態による袋体１では、前面部１１及び後面部１２が両側部１３，１４よりも上方に延在し、前面部１１及び後面部１２の上方への延在部分１１Ａ，１２Ａの内側に第１及び第２のジッパーテープ３１，３２が側方に延びるようにそれぞれ設けられているので、図２に示すように前記胴部の上端側の開口部１ａを大きく開くことができる。したがって、本実施の形態による袋体１は、例えば、物品を収納する収納ケースとして使用するのに適している。
【００４８】
さらに、本実施の形態による袋体１では、前面部１１及び後面部１２の上方への延在部分１１Ａ，１２Ａには、前面部１１及び後面部１２の互いに重なった当該延在部分１１Ａ，１２Ａを貫通しかつ１本以上の手指２００の差し入れが可能な１つ以上の貫通孔をなす孔１１Ａａ，１２Ａａが形成され、前面部１１及び後面部１２の上方への延在部分１１Ａ，１２Ａの内側には、互いに咬合可能な第１及び第２のジッパーテープ３１，３２が孔１１Ａａ，１２Ａａよりも下方の位置において側方に延びるように、それぞれ設けられているので、前面部１１の上方への延在部分１１Ａも、後面部１２の上方への延在部分１２Ａも、第１及び第２のジッパーテープ３１，３２の上側縁から、手指２００の差し入れが可能な孔１１Ａａ，１２Ａａを形成することができるほど比較的高い位置まで上方に延在する。したがって、前面部１１の上方への延在部分１１Ａも、後面部１２の上方への延在部分１２Ａも、それぞれ別の手で容易に持つのに十分な箇所を有する。このため、前記胴部の上端側の開口部１ａを開く際に、前面部１１及び後面部１２の上方への延在部分１１Ａ，１２Ａをそれぞれ別の手で容易に持つことができるので、前面部１１及び１２後面部の上方への延在部分１１Ａ，１２Ａをそれぞれ別の手で持ってそれぞれ反対側に容易に引っ張ることができる。これにより、本実施の形態によれば、前記胴部の上端側の開口部１ａを容易に開くことができる。
【００４９】
また、本実施の形態による袋体１では、前面部１１及び後面部１２の上方への延在部分１１Ａ，１２Ａには、前面部１１及び後面部１２の互いに重なった当該延在部分１１Ａ，１２Ａを貫通しかつ１本以上の手指２００の差し入れが可能な１つ以上の貫通孔をなす孔１１Ａａ，１２Ａａが形成されているので、図５に示すように、当該貫通孔に手指２００を差し入れることで、前面部１１及び後面部１２の互いに重なった当該延在部分１１Ａ，１２Ａの両方を同時に持ち上げることができる。したがって、前記特許文献１に開示されたチャック付自立角底袋と異なり、内部に任意の物品（図５に示す例では、ワインボトル等の飲料入り瓶１００）を収容した当該袋体１が斜めに傾いた状態で持ち上げられてしまうことがなく、内部に収納した物品を安定した状態で持ち運ぶことができる。
【００５０】
さらに、本実施の形態による袋体１では、第１及び第２のジッパーテープ３１，３２の下側縁が両側部１３，１４の上側縁に近接しているので、第１及び第２のジッパーテープ３１，３２を互いに咬合させて前記胴部の上端側の開口部１ａを閉じた状態において、当該袋体１の内部を外部に連通させる隙間が小さくなる。したがって、本実施の形態によれば、前記胴部の上端側の開口部１ａを閉じた状態において、外部の埃等が当該袋体１の内部に一層侵入し難くなる。
【００５１】
本実施の形態において、前面部１１及び後面部１２が不透明であり、両側部１３，１４が透明であれば、内部に収容した物品の全体が外部から見えるわけではないので、すっきりと片付いた状態での物品の収納を実現することができる一方で、両側部が透明であるので、内部に収容した物品の一部を見ることができ、内部に何が収容されているかを容易に把握することができる。したがって、この場合には、例えば、物品を収納する収納ケースとして使用するのにより適している。
【００５２】
以上、本発明の実施の形態について説明したが、本発明はこれに限定されるものではない。
【００５３】
例えば、本発明による袋体では、内部に収容される物品は、ワインボトル等の飲料入り瓶１００に限らない。本発明による袋体では、内部に収容する物品に合わせて各部の寸法等が設定される。本実施の形態では、内部に収容するワインボトル等の飲料入り瓶１００に合わせて各部の寸法等が設定されている。例えば、内部に収容する物品をＡ４ファイルとする場合には、Ａ４ファイルの背表紙が両側部１３，１４の一方と対面した状態でＡ４ファイルを収容するように、各部の寸法が設定される。このとき、両側部１３，１４を透明とすれば、Ａ４ファイルを収納したままその背表紙を見ることができ、便利である。また、内部に収容される物品は、例えば、折り畳み傘や非折り畳み傘でもよく、この場合には、袋体１の内面は耐水性を有することが好ましい。
【符号の説明】
【００５４】
１  袋体
１ａ  開口部
１１  前面部
１１Ａ  延在部分
１１Ａａ  孔
１２  後面部
１２Ａ  延在部分
１２Ａａ  孔
１３  右側部
１４  左側部
１５  底部
３１，３２  ジッパーテープ
【図１】
2020117297.tif 000003
【図２】
2020117297.tif 000004
【図３】
2020117297.tif 000005
【図４】
2020117297.tif 000006
【図５】
2020117297.tif 000007